【手続補正書】
【提出日】平成24年12月7日(2012.12.7)
【手続補正１】
【補正対象書類名】特許請求の範囲
【補正対象項目名】全文
【補正方法】変更
【補正の内容】
【特許請求の範囲】
【請求項１】
近位端、遠位端、およびその間に延びる縦軸を有するゴルフクラブシャフトと、
ゴルフクラブシャフトの遠位端に取り付けられたゴルフクラブヘッドであって、打球面を有する前面および前面の反対側にある背面を含み、さらに、
ゴルフクラブシャフトの遠位端の下側に配置される角度調節用の空隙構造であって、角度調節用の空隙構造が、背面に形成された開口を有するキャビティを含み、キャビティの深さ寸法が背面から前面へ及び、キャビティが開口と反対にある底面を有し、背面から見た場合、キャビティが縦軸と整列している、角度調節用の空隙構造
を含む、ゴルフクラブヘッドと
を備える、ゴルフクラブ。
【請求項２】
キャビティが縦軸と交差する、請求項1記載のゴルフクラブ。
【請求項３】
キャビティの深さが、キャビティの位置で、前記ヘッドの厚さの50％を超えて延びる、請求項1記載のゴルフクラブ。
【請求項４】
キャビティの深さが、キャビティの位置で、前記ヘッドの厚さの75％を超えて延びる、請求項1記載のゴルフクラブ。
【請求項５】
キャビティの深さが、キャビティの位置で、前記ヘッドの厚さの85％を超えて延びる、請求項1記載のゴルフクラブ。
【請求項６】
キャビティが縦軸に対して対称である、請求項1記載のゴルフクラブ。
【請求項７】
キャビティが縦軸に垂直な軸に対して対称である、請求項1記載のゴルフクラブ。
【請求項８】
前記ヘッドがネック領域を含み、かつキャビティが少なくとも部分的にネック領域内に配置される、請求項1記載のゴルフクラブ。
【請求項９】
前記ヘッドがヒール領域を含み、かつキャビティが少なくとも部分的にヒール領域内に配置される、請求項1記載のゴルフクラブ。
【請求項１０】
後方から見た場合、キャビティの断面の寸法が、前記ヘッドの背面の対応する寸法に沿って25％を超えて延びる、請求項1記載のゴルフクラブ。
【請求項１１】
後方から見た場合、キャビティの断面の寸法が、前記ヘッドの背面の対応する寸法に沿って50％を超えて延びる、請求項1記載のゴルフクラブ。
【請求項１２】
後方から見た場合、キャビティの断面の寸法が、前記ヘッドの背面の対応する寸法に沿って75％を超えて延びる、請求項1記載のゴルフクラブ。
【請求項１３】
キャビティが深さ寸法に沿って一定の断面を有する、請求項1記載のゴルフクラブ。
【請求項１４】
角度調節用の空隙構造が、背面に形成された第二のキャビティを含み、第二のキャビティの深さ寸法が背面から前面へ及ぶ、請求項1記載のゴルフクラブ。
【請求項１５】
外径、近位端、遠位端、およびその間に規定される縦軸を有するゴルフクラブシャフトと、
ゴルフクラブシャフトの遠位端に取り付けられたゴルフクラブヘッドであって、打球面を有する前面、前面の反対側にある背面、および縦軸の延長部に沿ってゴルフクラブシャフトの外径を突出させることによって規定される縦軸領域を含み、さらに、
ゴルフクラブシャフトの遠位端の下側に配置される角度調節用の空隙構造であって、角度調節用の空隙構造が、背面に形成された開口を有するキャビティを含み、キャビティが開口と反対にある底面を有し、キャビティが少なくとも部分的に縦軸領域内に配置される、角度調節用の空隙構造
を含む、ゴルフクラブヘッドと
を備える、ゴルフクラブ。
【請求項１６】
背面に形成されかつ少なくとも部分的に縦軸領域内に配置される第二のキャビティをさらに含む、請求項15記載のゴルフクラブ。
【請求項１７】
背面から見た場合、キャビティが縦軸と整列している、請求項15記載のゴルフクラブ。
【請求項１８】
キャビティの深さが、キャビティの位置で、前記ヘッドの厚さの50％を超えて延びる、請求項15記載のゴルフクラブ。
【請求項１９】
前記ヘッドがネック領域を含み、かつ第一のキャビティが少なくとも部分的にネック領域内に配置される、請求項15記載のゴルフクラブ。
【請求項２０】
角度調節用の空隙構造が縦軸に対して対称である、請求項15記載のゴルフクラブ。
【請求項２１】
ヒール領域からトウ領域へ広がる本体と、
ヒール領域から接続領域へ延びるネック領域であって、接続領域が、ゴルフクラブシャフトの遠位端に取り付けられるよう構成され、かつ縦軸を規定する、ネック領域と、
接続領域の下側に配置される角度調節用の空隙構造であって、角度調節用の空隙構造がゴルフクラブヘッドの背面に形成される開口を有するキャビティを含み、キャビティの深さ寸法がゴルフクラブヘッドの背面から前面へ及び、キャビティが開口と反対にある底面を有し、キャビティが少なくとも部分的に縦軸の半径10 mm以内に配置される、角度調節用の空隙構造と
を備える、ゴルフクラブヘッド。
【請求項２２】
背面から見た場合、キャビティが縦軸と整列している、請求項21記載のゴルフクラブヘッド。
【請求項２３】
近位端、遠位端、およびその間に延びる縦軸を有するゴルフクラブシャフトと、
ゴルフクラブシャフトの遠位端に取り付けられたゴルフクラブヘッドであって、打球面を有する前面および前面の反対側にある背面を含み、さらに、
ゴルフクラブシャフトの遠位端の下側に配置されるゆがみを緩和するための手段であって、ゆがみを緩和するための手段が、背面に形成された開口を有する空隙を含み、空隙の深さ寸法が背面から前面へ及び、空隙が開口と反対にある底面を有し、背面から見た場合、空隙が縦軸と整列している、ゆがみを緩和するための手段
を含む、ゴルフクラブヘッドと
を備える、ゴルフクラブ。
【請求項２４】
空隙の深さが、空隙の位置で、前記ヘッドの厚さの50％を超えて延びる、請求項23記載のゴルフクラブ。
【請求項２５】
後方から見た場合、空隙の断面の寸法が、前記ヘッドの背面の対応する寸法に沿って25％を超えて延びる、請求項23記載のゴルフクラブ。
【請求項２６】
ゆがみを緩和するための手段が、背面に形成される第二の空隙を含み、第二の空隙の深さ寸法が背面から前面へ及ぶ、請求項23記載のゴルフクラブ。
【請求項２７】
前記ヘッドがネック領域を含み、かつ空隙が少なくとも部分的にネック領域内に配置される、請求項23記載のゴルフクラブ。
【手続補正２】
【補正対象書類名】明細書
【補正対象項目名】００１５
【補正方法】変更
【補正の内容】
【００１５】
本開示のさらなる実例としての局面に従い、ゴルフクラブは、上記に提供したようにゴルフクラブヘッドに取り付けたゴルフクラブシャフトを含んでもよい。
[本発明1001]
近位端、遠位端、およびその間に延びる縦軸を有するゴルフクラブシャフトと、
ゴルフクラブシャフトの遠位端に取り付けられたゴルフクラブヘッドであって、打球面を有する前面および前面の反対側にある背面を含み、さらに、
ゴルフクラブシャフトの遠位端の下側に配置される角度調節用の空隙構造であって、角度調節用の空隙構造が、背面に形成されたキャビティを含み、キャビティの深さ寸法が背面から前面へ及び、背面から見た場合、キャビティが縦軸と整列している、角度調節用の空隙構造
を含む、ゴルフクラブヘッドと
を備える、ゴルフクラブ。
[本発明1002]
キャビティが縦軸と交差する、本発明1001のゴルフクラブ。
[本発明1003]
キャビティの深さが、キャビティの位置で、前記ヘッドの厚さの50％を超えて延びる、本発明1001のゴルフクラブ。
[本発明1004]
キャビティの深さが、キャビティの位置で、前記ヘッドの厚さの75％を超えて延びる、本発明1001のゴルフクラブ。
[本発明1005]
キャビティの深さが、キャビティの位置で、前記ヘッドの厚さの85％を超えて延びる、本発明1001のゴルフクラブ。
[本発明1006]
キャビティが縦軸に対して対称である、本発明1001のゴルフクラブ。
[本発明1007]
キャビティが縦軸に垂直な軸に対して対称である、本発明1001のゴルフクラブ。
[本発明1008]
前記ヘッドがネック領域を含み、かつキャビティが少なくとも部分的にネック領域内に配置される、本発明1001のゴルフクラブ。
[本発明1009]
前記ヘッドがヒール領域を含み、かつキャビティが少なくとも部分的にヒール領域内に配置される、本発明1001のゴルフクラブ。
[本発明1010]
キャビティの断面が、キャビティの位置で、前記ヘッドの背面の最小寸法の25％を超えて延びる、本発明1001のゴルフクラブ。
[本発明1011]
キャビティの断面が、キャビティの位置で、前記ヘッドの背面の最小寸法の50％を超えて延びる、本発明1001のゴルフクラブ。
[本発明1012]
キャビティの断面が、キャビティの位置で、前記ヘッドの背面の最小寸法の75％を超えて延びる、本発明1001のゴルフクラブ。
[本発明1013]
キャビティが深さ寸法に沿って一定の断面を有する、本発明1001のゴルフクラブ。
[本発明1014]
角度調節用の空隙構造が、背面に形成された第二のキャビティを含み、第二のキャビティの深さ寸法が背面から前面へ及ぶ、本発明1001のゴルフクラブ。
[本発明1015]
外径、近位端、遠位端、およびその間に規定される縦軸を有するゴルフクラブシャフトと、
ゴルフクラブシャフトの遠位端に取り付けられたゴルフクラブヘッドであって、打球面を有する前面、前面の反対側にある背面、および縦軸の延長部に沿ってゴルフクラブシャフトの外径を突出させることによって規定される縦軸領域を含み、さらに、
ゴルフクラブシャフトの遠位端の下側に配置される角度調節用の空隙構造であって、角度調節用の空隙構造が、背面に形成されたキャビティを含み、キャビティが少なくとも部分的に縦軸領域内に配置される、角度調節用の空隙構造
を含む、ゴルフクラブヘッドと
を備える、ゴルフクラブ。
[本発明1016]
背面に形成されかつ少なくとも部分的に縦軸領域内に配置される第二のキャビティをさらに含む、本発明1015のゴルフクラブ。
[本発明1017]
背面から見た場合、キャビティが縦軸と整列している、本発明1015のゴルフクラブ。
[本発明1018]
キャビティの深さが、キャビティの位置で、前記ヘッドの厚さの50％を超えて延びる、本発明1015のゴルフクラブ。
[本発明1019]
前記ヘッドがネック領域を含み、かつ第一のキャビティが少なくとも部分的にネック領域内に配置される、本発明1015のゴルフクラブ。
[本発明1020]
角度調節用の空隙構造が縦軸に対して対称である、本発明1015のゴルフクラブ。
[本発明1021]
ヒール領域からトウ領域へ広がる本体と、
ヒール領域から接続領域へ延びるネック領域であって、接続領域が、ゴルフクラブシャフトの遠位端に取り付けられるよう構成され、かつ縦軸を規定する、ネック領域と、
接続領域の下側に配置される角度調節用の空隙構造であって、角度調節用の空隙構造がゴルフクラブヘッドの背面に形成されるキャビティを含み、キャビティの深さ寸法がゴルフクラブヘッドの背面から前面へ及び、キャビティが少なくとも部分的に縦軸の半径10 mm以内に配置される、角度調節用の空隙構造と
を備える、ゴルフクラブヘッド。
[本発明1022]
背面から見た場合、キャビティが縦軸と整列している、本発明1021のゴルフクラブヘッド。
[本発明1023]
近位端、遠位端、およびその間に延びる縦軸を有するゴルフクラブシャフトと、
ゴルフクラブシャフトの遠位端に取り付けられたゴルフクラブヘッドであって、打球面を有する前面および前面の反対側にある背面を含み、さらに、
ゴルフクラブシャフトの遠位端の下側に配置されるゆがみを緩和するための手段であって、ゆがみを緩和するための手段が、背面に形成された空隙を含み、空隙の深さ寸法が背面から前面へ及び、背面から見た場合、空隙が縦軸と整列している、ゆがみを緩和するための手段
を含む、ゴルフクラブヘッドと
を備える、ゴルフクラブ。
[本発明1024]
空隙の深さが、キャビティの位置で、前記ヘッドの厚さの50％を超えて延びる、本発明1023のゴルフクラブ。
[本発明1025]
空隙の断面が、キャビティの位置で、前記ヘッドの背面の最小寸法の25％を超えて延びる、本発明1023のゴルフクラブ。
[本発明1026]
ゆがみを緩和するための手段が、背面に形成される第二の空隙を含み、第二の空隙の深さ寸法が背面から前面へ及ぶ、本発明1023のゴルフクラブ。